(57)【要約】【課題】従来より効率よく脱臭を行うことが可能な汚物収容ケース、介護サービスワゴン及び簡易椅子の提供を目的とする。【解決手段】本発明の介護サービスワゴン１０はワゴン本体１１の下面にキャスター１０Ａを備えてなる。そして、ワゴン本体１１における汚物収容ケース１３の外壁部自体をフィルター部４３としたので、従来のようにケース内の空気の環流経路の途中にフィルター部を設けた構成に比べて広範囲にフィルター部４３を配置することができる。これにより、汚物収容ケース１３内の臭気物質を含んだ空気と光触媒との接触量を多くすることができ、効率よく脱臭を行うことが可能になる。【選択図】図３
2007209576.tif 000002
【特許請求の範囲】
【請求項１】
使用済みのオムツを含む汚物を収容して閉塞可能な汚物収容ケースにおいて、
その汚物収容ケースの内外を区画する外壁部と、
前記外壁部の少なくとも一部を構成し、前記汚物収容ケースの内外に気体を通過可能とするフィルター部と、
前記フィルター部に付着又は含まれた光触媒と、
前記フィルター部に光を照射するための照射手段とを設けたことを特徴とする汚物収容ケース。
【請求項２】
前記フィルター部は、板金に複数の貫通孔を形成してなる多孔板と、
前記多孔板の内側を覆いかつ前記光触媒が付着又は含まれた不織布又はセラミックスとで構成されたことを特徴とする請求項１に記載の汚物収容ケース。
【請求項３】
前記照射手段は、前記汚物収容ケース内に配置された紫外線発光源であることを特徴とする請求項１又は２に記載の汚物収容ケース。
【請求項４】
前記紫外線発光源は、ブラックライトであることを特徴とする請求項３に記載の汚物収容ケース。
【請求項５】
前記汚物を前記汚物収容ケース内に投入可能とする投入口と、
前記外壁部の一部を構成し、前記投入口を開閉可能な投入口扉と、
前記投入口扉が前記投入口を閉じた場合に前記ライトを点灯する一方、前記投入口を開いた場合に前記ライトを消灯するライト切替スイッチとを設けたことを特徴とする請求項３又は４に記載の汚物収容ケース。
【請求項６】
前記照射手段は、前記汚物収容ケースの外部から前記汚物収容ケース内に光を取り込んで前記光触媒に照射するための採光窓であることを特徴とする請求項１又は２に記載の汚物収容ケース。
【請求項７】
前記請求項１乃至６の何れかに記載の汚物収容ケースの下部にキャスターを備えたことを特徴とする介護サービスワゴン。
【請求項８】
前記汚物収容ケースは、直方体形状をなし、
前記汚物収容ケース内には、上面開放のインナーボックスが収容され、
前記汚物収容ケースの上面には、前記インナーボックスとの対向部に汚物投入口と、前記汚物投入口を開閉するための汚物投入口扉とが備えられ、
前記汚物収容ケースの前面又は後面又は側面には、前記インナーボックスを出し入れ可能とするボックス搬出入口及び前記ボックス搬出入口を開閉する搬出入口開閉扉が備えられたことを特徴とする請求項７に記載の介護サービスワゴン。
【請求項９】
前記汚物投入口扉は、前記汚物投入口の開口縁に回動可能に連結されると共に、常には自重により前記汚物収容ケースの上面に伏臥して前記汚物投入口を塞ぎ、
前記汚物収容ケースの下部には、踏み込み操作可能な操作ペダルが備えられ、
前記操作ペダルと前記汚物投入口扉との間を連結し、前記操作ペダルが踏み込まれたときに前記汚物投入口扉を前記汚物収容ケースの上面から起立させるペダル連結機構を設けたことを特徴とする請求項８に記載の介護サービスワゴン。
【請求項１０】
前記インナーボックスの内部は、複数のボックス部屋に区画され、それらボックス部屋に対応させて複数の前記汚物投入口及び前記汚物投入口扉を備えたことを特徴とする請求項８又は９に記載の介護サービスワゴン。
【請求項１１】
未使用のオムツを含む配給品を収容可能な配給品収容ケースを前記汚物収容ケースを一体に設けて介護サービスワゴンの進行方向に並べ、前記配給品収容ケースの左右両側面に配給品を出し入れ可能とするための配給口及び前記配給口を開閉する配給口扉を設けたこを特徴とする請求項７乃至１０の何れかに記載の介護サービスワゴン。
【請求項１２】
前記請求項１乃至６の何れかに記載の汚物収容ケースの上面に略水平な座部を備えたことを特徴とする簡易椅子。
【請求項１３】
前記簡易椅子は、上端開放の筒状をなしかつその上端の開放口が汚物投入口になった椅子本体と、
前記椅子本体における前記汚物投入口の縁部に対して回動可能に連結されて前記汚物投入口を開閉する座部構成体とからなることを特徴とする請求項１２に記載の簡易椅子。
【発明の詳細な説明】
【技術分野】
【０００１】
本発明は、使用済みのオムツ等の汚物を収容可能な汚物収容ケース、介護サービスワゴン及び簡易椅子に関する。
【背景技術】
【０００２】
従来、この種の汚物収容ケースとして、密閉した状態で内部の空気をファンによって環流させ、その環流経路の途中に光触媒が付着したフィルター部を設けたものが知られている。そして、この汚物収容ケースでは、フィルター部にアンモニア成分を含む空気を通過させることで、光触媒効果による脱臭を図っていた（例えば、特許文献１参照）。
【特許文献１】特開２００１−１２０６４４号公報（段落［０００１］〜［０００７］、第１図）
【発明の開示】
【発明が解決しようとする課題】
【０００３】
しかしながら、上記した従来の汚物収容ケースでは、フィルター部に対する配置の自由度が制限され、広範囲に亘ってフィルター部を設けることができず、効率良く脱臭を行うことができなかった。
【０００４】
本発明は、上記事情に鑑みてなされたもので、従来より効率よく脱臭を行うことが可能な汚物収容ケース、介護サービスワゴン及び簡易椅子の提供を目的とする。
【課題を解決するための手段】
【０００５】
上記目的を達成するためになされた請求項１の発明に係る汚物収容ケースは、使用済みのオムツを含む汚物を収容して閉塞可能な汚物収容ケースにおいて、その汚物収容ケースの内外を区画する外壁部と、外壁部の少なくとも一部を構成し、汚物収容ケースの内外に気体を通過可能とするフィルター部と、フィルター部に付着又は含まれた光触媒と、フィルター部に光を照射するための照射手段とを設けたところに特徴を有する。
【０００６】
請求項２の発明は、請求項１に記載の汚物収容ケースにおいて、フィルター部は、板金に複数の貫通孔を形成してなる多孔板と、多孔板の内側を覆いかつ光触媒が付着又は含まれた不織布又はセラミックスとで構成されたところに特徴を有する。
【０００７】
請求項３の発明は、請求項１又は２に記載の汚物収容ケースにおいて、照射手段は、汚物収容ケース内に配置された紫外線発光源であるところに特徴を有する。
【０００８】
請求項４の発明は、請求項３に記載の汚物収容ケースにおいて、紫外線発光源は、ブラックライトであるところに特徴を有する。
【０００９】
請求項５の発明は、請求項３又は４に記載の汚物収容ケースにおいて、汚物を汚物収容ケース内に投入可能とする投入口と、外壁部の一部を構成し、投入口を開閉可能な投入口扉と、投入口扉が投入口を閉じた場合にライトを点灯する一方、投入口を開いた場合にライトを消灯するライト切替スイッチとを設けたところに特徴を有する。
【００１０】
請求項６の発明は、請求項１又は２に記載の汚物収容ケースにおいて、照射手段は、汚物収容ケースの外部から汚物収容ケース内に光を取り込んで光触媒に照射するための採光窓であるところに特徴を有する。
【００１１】
請求項７の発明に係る介護サービスワゴンは、請求項１乃至６の何れかに記載の汚物収容ケースの下部にキャスターを備えたところに特徴を有する。
【００１２】
請求項８の発明は、請求項７に記載の介護サービスワゴンにおいて、汚物収容ケースは、直方体形状をなし、汚物収容ケース内には、上面開放のインナーボックスが収容され、汚物収容ケースの上面には、インナーボックスとの対向部に汚物投入口と、汚物投入口を開閉するための汚物投入口扉とが備えられ、汚物収容ケースの前面又は後面又は側面には、インナーボックスを出し入れ可能とするボックス搬出入口及びボックス搬出入口を開閉する搬出入口開閉扉が備えられたところに特徴を有する。
【００１３】
請求項９の発明は、請求項８に記載の介護サービスワゴンにおいて、汚物投入口扉は、汚物投入口の開口縁に回動可能に連結されると共に、常には自重により汚物収容ケースの上面に伏臥して汚物投入口を塞ぎ、汚物収容ケースの下部には、踏み込み操作可能な操作ペダルが備えられ、操作ペダルと汚物投入口扉との間を連結し、操作ペダルが踏み込まれたときに汚物投入口扉を汚物収容ケースの上面から起立させるペダル連結機構を設けたところに特徴を有する。
【００１４】
請求項１０の発明は、請求項８又は９に記載の介護サービスワゴンにおいて、インナーボックスの内部は、複数のボックス部屋に区画され、それらボックス部屋に対応させて複数の汚物投入口及び汚物投入口扉を備えたところに特徴を有する。
【００１５】
請求項１１の発明は、請求項７乃至１０の何れかに記載の介護サービスワゴンにおいて、未使用のオムツを含む配給品を収容可能な配給品収容ケースを汚物収容ケースを一体に設けて介護サービスワゴンの進行方向に並べ、配給品収容ケースの左右両側面に配給品を出し入れ可能とするための配給口及び配給口を開閉する配給口扉を設けたところに特徴を有する。
【００１６】
請求項１２の発明に係る簡易椅子は、請求項１乃至６の何れかに記載の汚物収容ケースの上面に略水平な座部を備えたところに特徴を有する。
【００１７】
請求項１３の発明は、請求項１２に記載の簡易椅子において、簡易椅子は、上端開放の筒状をなしかつその上端の開放口が汚物投入口になった椅子本体と、椅子本体における汚物投入口の縁部に対して回動可能に連結されて汚物投入口を開閉する座部構成体とからなるところに特徴を有する。
【発明の効果】
【００１８】
［請求項１の発明］
請求項１の汚物収容ケースでは、フィルター部を通して汚物収容ケースの内外に空気が通過する。そして、汚物収容ケースの内側から外側に空気が排出される際に、その空気に含まれる臭気物質が光触媒効果により酸化分解されて脱臭される。そして、本発明ではこのフィルター部が、汚物収容ケースの内外を区画する外壁部を構成しているので、従来に比べてフィルター部の配置の自由度が高くなり、広範囲に亘ってフィルター部を設けることができる。これにより、臭気物質を含んだ空気と光触媒との接触量を従来より多くすることができ、効率よく脱臭を行うことが可能になる。
【００１９】
［請求項２の発明］
請求項２の構成によれば、多孔板で強度を確保しつつ不織布又はセラミックスにて臭気物質の酸化分解を行うことができる。なお、不織布は、洗浄に対する耐久性の観点からガラスファイバー繊維製又はセラミックス繊維製であることが好ましい。
【００２０】
［請求項３〜６の発明］
請求項３の構成によれば、照射手段として紫外線発光源を設けたので、夜間、暗所においても光触媒効果を発現させることができる。ここで、紫外線発光源には、ブラックライト、蛍光灯、水銀灯等が含まれ、請求項４の構成のように紫外線発光源をブラックライトとすることで、蛍光灯より紫外線放射量が多くなり、殺菌効果が高まる。また、請求項５の構成によれば、汚物投入口が閉じられた状態でのみライトを点灯させて省エネを図ることができる。さらに、請求項６の構成のように汚物収容ケースの外部から汚物収容ケース内に光を取り込んで光触媒に照射する採光窓を設ければ、電源が無くても光触媒効果を発現させること可能になる。
【００２１】
［請求項７の発明］
請求項７の介護サービスワゴンは、下部にキャスターを備えたので、病院内又は介護施設内を移動して使用済みオムツを効率良く回収することができる。
【００２２】
［請求項８の発明］
請求項８の構成によれば、汚物収容ケースの上面に備えた汚物投入口から汚物収容ケース内に汚物を投入すると、その汚物は汚物収容ケース内のインナーボックスに収容される。そして、汚物収容ケースに備えた搬出入口開閉扉を開いてボックス搬出入口からインナーボックスを取り出すことで、回収したオムツを介護サービスワゴンから他の場所に効率よく移すことができる。
【００２３】
［請求項９の発明］
請求項９の構成によれば、汚物収容ケースの下部に備えた操作ペダルの踏み込み操作によって汚物投入口を開閉することができるので、オムツ収集作業を効率良く行うことができる。
【００２４】
［請求項１０の発明］
請求項１０の構成によれば、インナーボックスの内部は、複数のボックス部屋に区画され、それらボックス部屋に対応させて汚物収容ケースの上面に、複数の汚物投入口及び汚物投入口扉を備えたので、汚物を分別して収集することができる。
【００２５】
［請求項１１の発明］
請求項１１の構成によれば、配給品収容ケースと汚物収容ケースとを一体に設けたことにより、使用済みのオムツの収集と未使用のオムツの配給とを効率良く行うことができる。また、配給品収容ケースと汚物収容ケースとを介護サービスワゴンの進行方向に並べたことにより、左右方向の幅を小さくすることができ、隣り合ったベッド間まで進入することが可能になる。また、配給品収容ケースの左右両側面に配給口を備えたので、ベッド間に介護サービスワゴンを進入してから効率よく左右のベッドに配給品を移動することができる。
【００２６】
［請求項１２及び１３の発明］
請求項１２の簡易椅子は、汚物収容ケースの上面に略水平な座部を備えた構成になっているので、オムツ利用者のベッドの近傍に配置すれば、使用済みのオムツの収容ケースと、介護者又は見舞客が使用する椅子との両方に兼用することができ、ベッド周りの省スペース化を図ることができる。具体的には、請求項１３の簡易椅子のように、上端開放の筒状をなした椅子本体の開放口を汚物投入口扉としての座部構成体で閉塞して構成することができる。
【発明を実施するための最良の形態】
【００２７】
［第１実施形態］
以下、本発明の一実施形態を図１〜図７に基づいて説明する。図１に示すように本実施形態の介護サービスワゴン１０は、直方体の箱形状をなしたワゴン本体１１の下面に複数のキャスター１０Ａを備えてなる。ワゴン本体１１は、例えば、ステンレス板金を溶接してなり、前後方向（ワゴンの進行方向）に長くなっている。ワゴン本体１１の後端部にはハンドル部１２が備えられている。ハンドル部１２は、ワゴン本体１１の上面のうち後端両角部から立ち上がった門形又はアーチ形になっている。
【００２８】
図２に示すようにワゴン本体１１の内部には、前後方向の中間部分に区画壁１５が備えられている。そして、ワゴン本体１１のうち区画壁１５を含むワゴン本体１１の前側部分が本発明に係る汚物収容ケース１３をなし、区画壁１５を含むワゴン本体１１の後方部分が本発明に係る配給品収容ケース１４になっている。即ち、本実施形態のワゴン本体１１は、汚物収容ケース１３と配給品収容ケース１４とを一体に備えてなる。なお、区画壁１５は、例えば縁部全体をワゴン本体１１の内面に溶接して固定され、ワゴン本体１１を補強する役割も果たしている。
【００２９】
配給品収容ケース１４の内部には、区画壁１５とワゴン本体１１の後端壁との間に棚板１６が差し渡されている。そして、配給品収容ケース１４内に、例えば未使用のオムツやタオル等が上下二段に分けて収納されている。
【００３０】
配給品収容ケース１４の内側下面には、コードリール１６を内蔵した小部屋１４Ａが設けられている。また、コードリール１６に巻回された電線の先端には、プラグ１６Ｐが備えられ、このプラグ１６Ｐを１００ボルト電源のコンセントに接続することで、介護サービスワゴン１０に備えた所要箇所に電力が供給される。
【００３１】
図３に示すように配給品収容ケース１４の左右両側面には、配給品を出し入れするための配給口１４Ｗ，１４Ｗが設けられている。各配給口１４Ｗには、１対ずつの配給口扉１４Ｔ，１４Ｔが備えられ、これら配給口扉１４Ｔは配給口１４Ｗの両側縁部を回動軸にして開閉される。
【００３２】
配給品収容ケース１４の上面は、作業部１４Ｓになっている。作業部１４Ｓは、配給品収容ケース１４の上面から突出した枠体１７で囲まれ、これにより、作業部１４Ｓに載置された配給品等の転落を防止している。
【００３３】
図２に示すように汚物収容ケース１３内には、インナーボックス３０が収容されている。インナーボックス３０は、全体として上面開放の直方体形状をなしている。汚物収容ケース１３内の底面外縁部には、インナーボックス３０を位置決めするためのボックス位置決部２０が備えられている。ボックス位置決部２０は、例えば、底面外縁部に沿った帯板状をなし、区画壁１５側の奥部及び両側部に備えられ、これにより、インナーボックス３０が区画壁１５及び汚物収容ケース１３の両側壁から所定距離だけ離れた位置に保持されている。
【００３４】
インナーボックス３０を汚物収容ケース１３から出し入れするために、汚物収容ケース１３の前面壁にはボックス搬出入口１８が形成されると共に、このボックス搬出入口１８を開閉するために前面扉１９（本発明に係る「搬出入口開閉扉」に相当する）が備えられている。前面扉１９は、ボックス搬出入口１８の下辺部に回動可能に連結されると共に、ボックス搬出入口１８の上辺部と前面扉１９との間には、前面扉１９を閉じた状態に保持するための図示しない扉係止機構が備えられている。また、前面扉１９の外面上端部には取っ手１９Ａが備えられ、インナーボックス３０の外面上端部にも取っ手３０Ｔが備えられている。そして、扉係止機構による係止を解除し、取っ手１９Ａを引くことで前面扉１９が前側下方に倒されて開く。すると、前面扉１９は回動端が床面に当接する位置まで回動し、ボックス搬出入口１８から斜め下方に延びた状態になる（図２の状態）。これにより、インナーボックス３０の取っ手３０Ｔを引いたときに、前面扉１９をガイドにしてインナーボックス３０を床面上に移動することができる。
【００３５】
図３に示すようにインナーボックス３０の内部領域は、第１内部壁３１と第２内部壁３２とにより３つの領域に区画されている。具体的には、第１内部壁３１は、インナーボックス３０のうち後端寄り位置に配置されて、インナーボックス３０の内部領域を前後方向で二分し、第２内部壁３２は第１内部壁３１より後方の内部領域を左右方向で二分している。そして、例えば、インナーボックス３０の内部領域のうち第１内部壁３１より前側が第１のボックス部屋３０Ａをなし、第１内部壁３１より後方が第２及び３のボックス部屋３０Ｂ，３０Ｃになっている。
【００３６】
汚物収容ケース１３の上面には、第１〜第３の各ボックス部屋３０Ａ，３０Ｂ，３０Ｃに対応して第１〜第３の汚物投入口３３Ａ，３３Ｂ，３３Ｃと、これら汚物投入口３３Ａ，３３Ｂ，３３Ｃを開閉するための上面扉３４Ａ，３４Ｂ，３４Ｃ（本発明に係る「汚物投入口扉」に相当する）が備えられている。上面扉３４Ａは、第１の汚物投入口３３Ａにおいては前後に対をなしかつ回動可能に取り付けられている。そして、上面扉３４Ａは、常には自重により汚物収容ケース１３の上面に伏臥して汚物投入口３３Ａを塞ぎ、起立して汚物投入口３３Ａが開かれる。
【００３７】
上面扉３４Ｂは第２の汚物投入口３３Ｂに１つ備えられ、上面扉３４Ｃは第３の汚物投入口３３Ｂに１つ備えられている。そして、これら上面扉３４Ｂ，３４Ｃも各汚物投入口３３Ｂ，３３Ｃの開口縁に回動可能に取り付けられ、常には自重により各汚物投入口３３Ｂ，３４Ｃを塞ぎ、起立して汚物投入口３３Ｂ，３３Ｃが開かれる。
【００３８】
上面扉３４Ａ，３４Ｂ，３４Ｃを開く操作は、汚物収容ケース１３の下面両側部に１対ずつ備えた第１及び第２の操作ペダル３５Ｐ，３６Ｐを踏むことで行うことができる。汚物収容ケース１３の内部には、図５に示した第１のペダル連結機構３５Ｋが第１の操作ペダル３５Ｐと第１の汚物投入口３３Ａの上面扉３４Ａ，３４Ａとの間に設けられると共に、図６に示した第２のペダル連結機構３６Ｋが第２の操作ペダル３６Ｐと第２及び第３の汚物投入口３３Ｂ，３３Ｃの上面扉３４Ｂ，３４Ｃとの間に設けられている。
【００３９】
図５に示した第１のペダル連結機構３５Ｋは、汚物収容ケース１３の両側壁部に上下動可能に保持された１対の上下動シャフト３５Ａ，３５Ａを備えている。これら上下動シャフト３５Ａ，３５Ａの下端部には、下側シーソーリンク３５Ｂ，３５Ｂの一端部がそれぞれ連結され、各下側シーソーリンク３５Ｂ，３５Ｂの他端部に第１の操作ペダル３５Ｐ，３５Ｐが取り付けられている。これにより、第１の操作ペダル３５Ｐ，３５Ｐを踏むと上下動シャフト３５Ａ，３５Ａが上方に移動する。
【００４０】
また、第１のペダル連結機構３５Ｋには、上面扉３４Ａ，３４Ａと共に回動する扉シャフト３５Ｓ，３５Ｓが備えられている。それら扉シャフト３５Ｓ，３５Ｓの両端部は汚物収容ケース１３の両側壁部まで延び、その両端部には回動方向と直行する方向にレバー部材３５Ｔ，３５Ｔが突出している。そして、汚物収容ケース１３の前後方向で対抗したレバー部材３５Ｔ，３５Ｔの間に架橋部材３５Ｕ，３５Ｕが差し渡されている。ここで、各架橋部材３５Ｕと各レバー部材３５Ｔとの連結部分は、一方に備えたピンを他方に備えた長孔に挿入してなる。これにより、架橋部材３５Ｕ，３５Ｕを上下動させる動作に連動して、レバー部材３５Ｔ，３５Ｔと共に扉シャフト３５Ｓ，３５Ｓ及び上面扉３４Ａ，３４Ａが回動する。そして、上下動シャフト３５Ａ，３５Ａが上側シーソーリンク３５Ｖ，３５Ｖを介して架橋部材３５Ｕ，３５Ｕに連結され、第１の操作ペダル３５Ｐを踏むことで架橋部材３５Ｕ，３５Ｕが下方に移動し、上面扉３４Ａ，３４Ａが開かれるようになっている。
【００４１】
図６に示した第２のペダル連結機構３６Ｋも同様に、１対の上下動シャフト３６Ａ，３６Ａに下側シーソーリンク３６Ｂ，３６Ｂを介して第２の操作ペダル３６Ｐ，３６Ｐが取り付けられ、第２の操作ペダル３６Ｐ，３６Ｐを踏むと上下動シャフト３６Ａ，３６Ａが上方に移動する。また、上面扉３４Ｂ，３４Ｃには扉シャフト３６Ｓが共通して固定され、その扉シャフト３６Ｓの両端部には、その回動方向と直行する方向にレバー部材３６Ｔ，３６Ｔが突出している。そして、これらレバー部材３６Ｔ，３６Ｔの回動端に上下動シャフト３６Ａ，３６Ａの上端部が連結されている。また、各レバー部材３６Ｔと各上下動シャフト３６Ａとの連結部分も、一方に備えたピンを他方に備えた長孔に挿入してなる。これらにより、第２の操作ペダル３６Ｐを踏むことで上面扉３４Ｂ，３４Ｃが開かれる。
【００４２】
さて、図１に示すように汚物収容ケース１３の内外を区画する外壁部のうち左右両方向を向いた両側壁部を構成するステンレス板金は、複数の貫通孔４０を備えた多孔板４１になっている。そして、図７に示すように多孔板４１の内側は不織布４２で覆われている。この不織布４２はグラスファイバ繊維製であって、そのグラスファイバ繊維の表面には光触媒が付着している。そして、これら多孔板４１と不織布４２とから本発明に係るフィルター部４３が構成されている。即ち、本実施形態の介護サービスワゴン１０では、汚物収容ケース１３における左右両側の側壁全体がフィルター部４３，４３になっている。
【００４３】
図３及び図４に示すように区画壁１５の上部における左右の両端寄り位置には、それぞれブラックライト４４，４４が取り付けられている。これらブラックライト４４は、前記したプラグ１６Ｐを１００ボルト電源のコンセントに接続すると点灯し、汚物収容ケース１３の内側からフィルター部４３全体を照射する。
【００４４】
本実施形態の構成は以上である。以下、本実施形態に係る作用・効果を説明する。介護サービスワゴン１０にてオムツ回収のサービスを行うには、まず、配給品収容ケース１４内に未使用のオムツ、タオル、お尻拭き等を収容する。また、インナーボックス３０の内部には、各ボックス部屋３０Ａ，３０Ｂ，３０Ｃ毎にビニール袋をセットしておく。そして、ハンドル部１２を押してキャスター１０Ａを転動させならがら病院内又は介護施設内を移動する。
【００４５】
ここで、介護サービスワゴン１０は、配給品収容ケース１４と汚物収容ケース１３とを前後方向に備え、進行方向に延びた形状をなしているので、各寝室の隣り合ったベッドの間まで進入することができる。また、配給品収容ケース１４の左右両側に配給口１４Ｗ，１４Ｗが備えられているので、左右両方のベッドの被介護者に対して迅速に未使用のオムツ及びお尻拭きを取り出すことができる。そして、使用済みのオムツを被介護者から取り外したら第１の操作ペダル３５Ｐを踏んで第１の汚物投入口３３Ａを開き、そこに使用済みのオムツを投入する。これにより、使用済みのオムツがインナーボックス３０における第１のボックス部屋３０Ａに収容される。また、オムツ交換でタオルを使用した場合には、第２の操作ペダル３６Ｐを踏み、汚物投入口３３Ｂ，３３Ｃに使用済みのタオルを投入する。
【００４６】
ここで、汚物投入口３３Ａ，３３Ｂ，３３Ｃの開閉操作に伴って汚物収容ケース１３内の空気がフィルター部４３を通過して外側に漏れる。しかしながら、多孔板４１の貫通孔４０を通して不織布４２が外部から光を受け、その不織布４２に付着した光触媒により臭気物質の酸化分解が促され、汚物収容ケース１３内の空気が脱臭された状態で外側に排出される。そして、本実施形態の介護サービスワゴン１０では、汚物収容ケース１３の内外を区画する外壁部の一部をフィルター部４３としたので、従来のようにケース内における空気の環流経路の途中にフィルター部を設けた構成に比べてフィルター部４３の配置の自由度が高くなる。これにより、広範囲に亘ってフィルター部４３を設けることが可能になり、臭気物質を含んだ空気と光触媒との接触量を多くして、効率よく脱臭を行うことが可能になる。
【００４７】
オムツ回収作業が終了したら、病院又は介護施設における所定箇所に介護サービスワゴン１０を移動して、コードリール１６から電線を伸ばしてプラグ１６Ｐをコンセントに差し込む。すると、汚物収容ケース１３内のブラックライト４４が点灯し、光触媒に光が照射される。これにより、介護サービスワゴン１０が、夜間、暗所におかれても光触媒効果を発現させることができ、汚物収容ケース１３から外側に臭気が漏れることを防ぐことができる。また、ブラックライト４４は一般的なライトに比べて紫外線放射量が多いので殺菌作用も奏する。
【００４８】
次いで、ごみ収集業者やクリーニング業者が病院又は介護施設に来る直前に、オムツ及びタオルを介護サービスワゴン１０から取り出す。このとき、介護サービスワゴン１０の前面扉１９を開いてインナーボックス３０を汚物収容ケース１３から取り出し、インナーボックス３０の各ボックス部屋３０Ａ，３０Ｂ，３０Ｃ毎にセットされたビニール袋を取り出せばよい。これにより、ごみ収集業者やクリーニング業者への引渡し作業を容易に行うことができる。そして、汚物収容ケース１３内を洗浄して一連の作業が終了する。
【００４９】
このように本実施形態の介護サービスワゴン１０によれば、病院又は介護施設内でオムツの交換及び収集作業を効率よく行うことができると共に、従来に比べて広範囲にフィルター部４３を設けることができ、効率よく脱臭を行うことが可能になる。
【００５０】
［第２実施形態］
以下、本発明の第２実施形態に係る簡易椅子５０を、図８及び図９を参照して説明する。この簡易椅子５０は、断面正八角形の筒体の上面にクッション５１を備えた構造になっている。簡易椅子５０は上端寄り位置に分割面を備え、その分割面より下側が椅子本体５２をなし、上側が座部構成体５３になっている。椅子本体５２は、下端に底壁を有しかつ上端が開放した筒状をなす一方、座部構成体５３は、上端に天井壁を有しかつ下端が開放した筒状をなしている。また、これら椅子本体５２及び座部構成体５３は、共にステンレス板金を溶接してなり、椅子本体５２の上端開口縁の一辺と座部構成体５３の下端開口縁の一辺とがヒンジ５４にて連結されている。そして、座部構成体５３を椅子本体５２に対して回動して椅子本体５２の上端開口が開閉される。また、座部構成体５３の上面には、ヒンジ５４側の外縁部から上方に背もたれ５５が突出している。
【００５１】
さて、図９に示すように椅子本体５２及び座部構成体５３の筒壁部は、複数の貫通孔５６を備えた多孔板５７になっている。多孔板５７の内側は不織布５８で覆われている。この不織布５８はグラスファイバ繊維製であって、そのグラスファイバ繊維の表面には光触媒が付着している。そして、これら多孔板５７と不織布５８とから本発明に係るフィルター部５９が構成されている。即ち、本実施形態の簡易椅子５０では、筒壁部全体がフィルター部５９になっている。
【００５２】
座部構成体５３の天井壁の内面には、ブラックライト６０が取り付けられている。また、簡易椅子５０からはブラックライト６０に給電するための電線６１が延びており、この電線６１の先端に備えたプラグ６２を１００ボルト電源のコンセントに接続するとブラックライト６０が点灯してフィルター部５９全体を照射する。
【００５３】
ヒンジ５４には、ライト切替スイッチ６３が取り付けられている。このライト切替スイッチ６３は、電線６１の途中に設けられ、座部構成体５３にて椅子本体５２の上面開口を閉じたときに導通状態になってブラックライト６０が点灯する一方、座部構成体５３を起こして椅子本体５２の上面開口を開いた状態で非導通状態になってブラックライト６０が消灯する。
【００５４】
本実施形態の構成は以上である。この簡易椅子５０は、オムツ利用者のベッドの近傍に配置すれば、使用済みのオムツの収容ケースと介護者又は見舞客が使用する椅子との両方に兼用することができ、ベッド周りの省スペース化を図ることができる。また、椅子本体５２の汚物投入口である上面開口が閉じられた状態でのみブラックライト６０が点灯するので省エネを図ることができる。
【００５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）前記第１実施形態の介護サービスワゴン１０に備えた配給口扉１４Ｔは回動して開閉される構造になっていたがスライドして開閉される構造にしてもよい。
【００５７】
（２）前記第１実施形態の介護サービスワゴン１０に備えたブラックライト４４は、１００ボルト電源から電力を受けて点灯する構成であったが、介護サービスワゴンに充電式のバッテリーを搭載し、常時、ライトを点灯すると共に、１００ボルト電源から電力を受けてバッテリーを充電する構成にしてもよい。
【００５８】
（３）本発明に係る汚物収容ケースは、上記した介護サービスワゴン１０、簡易椅子５０以外に、ゴミ箱、尿瓶ケース等に適用することもできる。
【００５９】
（４）前記第１実施形態における不織布４２はグラスファイバー繊維製であったがセラミックス繊維製であってもよい。また、不織布４２に代えてセラミックス製で通気性に優れた板部材を用いてもよい。
【００６０】
（５）前記第１及び２の実施形態にはブラックライト４４が備えられていたが、ブラックライトに限定されるものではなく、紫外線発光源であれば、例えば、蛍光灯であってもよい。
【００６１】
（６）前記第１実施形態のブラックライト４４に代わる紫外線発光源として紫外線を放射するＬＥＤを複数用い、それらＬＥＤを不織布４２の内部に埋設した構成してもよい。
【図面の簡単な説明】
【００６２】
【図１】本発明の第１実施形態に係る介護サービスワゴンの側面図
【図２】介護サービスワゴンの側断面図
【図３】介護サービスワゴンの平面図
【図４】介護サービスワゴンの正面図
【図５】第１のペダル連結機構の概念図
【図６】第２のペダル連結機構の概念図
【図７】フィルター部の断面図
【図８】本発明の第２実施形態に係る簡易椅子の斜視図
【図９】簡易椅子の側断面図
【符号の説明】
【００６３】
１０    介護サービスワゴン
１０Ａ    キャスター
１３    汚物収容ケース
１４    配給品収容ケース
１４Ｔ    配給口扉
１４Ｗ    配給口
１５    区画壁
１６    棚板
１８    ボックス搬出入口
１９    前面扉（搬出入口開閉扉）
２０    ボックス位置決部
３０    インナーボックス
３０Ａ，３０Ｂ，３０Ｃ    ボックス部屋
３３Ａ，３３Ｂ，３３Ｃ    汚物投入口
３４Ａ，３４Ｂ，３４Ｃ    上面扉（汚物投入口扉）
３５Ｋ，３６Ｋ    ペダル連結機構
３５Ｐ，３６Ｐ    操作ペダル
４０，５６    貫通孔
４１，５７    多孔板
４２，５８    不織布
４３，５９    フィルター部
４４，６１    ブラックライト
５０    簡易椅子
５１    クッション
５２    椅子本体
５３    座部構成体
【図１】
2007209576.tif 000003
【図２】
2007209576.tif 000004
【図３】
2007209576.tif 000005
【図４】
2007209576.tif 000006
【図５】
2007209576.tif 000007
【図６】
2007209576.tif 000008
【図７】
2007209576.tif 000009
【図８】
2007209576.tif 000010
【図９】
2007209576.tif 000011
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
使用済みのオムツを含む汚物を収容して閉塞可能な汚物収容ケースにおいて、
その汚物収容ケースの内外を区画する外壁部と、
前記外壁部の少なくとも一部を構成し、前記汚物収容ケースの内外に気体を通過可能とするフィルター部と、
前記フィルター部に付着又は含まれた光触媒と設け、
前記フィルター部が前記汚物収容ケース外部からの光を受けて前記光触媒による臭気物質の酸化分解が促されるようにしたことを特徴とする汚物収容ケース。
【請求項２】
前記フィルター部は、板金に複数の貫通孔を形成してなる多孔板と、
前記多孔板の内側を覆いかつ前記光触媒が付着又は含まれた不織布又はセラミックスとで構成されたことを特徴とする請求項１に記載の汚物収容ケース。
【請求項３】
前記フィルター部に光を照射するための紫外線発光源を前記汚物収容ケース内に設けたことを特徴とする請求項１又は２に記載の汚物収容ケース。
【請求項４】
前記紫外線発光源は、ブラックライトであることを特徴とする請求項３に記載の汚物収容ケース。
【請求項５】
前記汚物を前記汚物収容ケース内に投入可能とする投入口と、
前記外壁部の一部を構成し、前記投入口を開閉可能な投入口扉と、
前記投入口扉が前記投入口を閉じた場合に前記紫外線発光源を点灯する一方、前記投入口を開いた場合に前記紫外線発光源を消灯するライト切替スイッチとを設けたことを特徴とする請求項３又は４に記載の汚物収容ケース。
【請求項６】
前記汚物収容ケースの外部から前記汚物収容ケース内に光を取り込んで前記光触媒に照射するための採光窓を設けたことを特徴とする請求項１又は２に記載の汚物収容ケース。
【請求項７】
前記請求項１乃至６の何れかに記載の汚物収容ケースの下部にキャスターを備えたことを特徴とする介護サービスワゴン。
【請求項８】
前記汚物収容ケースは、直方体形状をなし、
前記汚物収容ケース内には、上面開放のインナーボックスが収容され、
前記汚物収容ケースの上面には、前記インナーボックスとの対向部に汚物投入口と、前記汚物投入口を開閉するための汚物投入口扉とが備えられ、
前記汚物収容ケースの前面又は後面又は側面には、前記インナーボックスを出し入れ可能とするボックス搬出入口及び前記ボックス搬出入口を開閉する搬出入口開閉扉が備えられたことを特徴とする請求項７に記載の介護サービスワゴン。
【請求項９】
前記汚物投入口扉は、前記汚物投入口の開口縁に回動可能に連結されると共に、常には自重により前記汚物収容ケースの上面に伏臥して前記汚物投入口を塞ぎ、
前記汚物収容ケースの下部には、踏み込み操作可能な操作ペダルが備えられ、
前記操作ペダルと前記汚物投入口扉との間を連結し、前記操作ペダルが踏み込まれたときに前記汚物投入口扉を前記汚物収容ケースの上面から起立させるペダル連結機構を設けたことを特徴とする請求項８に記載の介護サービスワゴン。
【請求項１０】
前記インナーボックスの内部は、複数のボックス部屋に区画され、それらボックス部屋に対応させて複数の前記汚物投入口及び前記汚物投入口扉を備えたことを特徴とする請求項８又は９に記載の介護サービスワゴン。
【請求項１１】
未使用のオムツを含む配給品を収容可能な配給品収容ケースを前記汚物収容ケースを一体に設けて介護サービスワゴンの進行方向に並べ、前記配給品収容ケースの左右両側面に配給品を出し入れ可能とするための配給口及び前記配給口を開閉する配給口扉を設けたこを特徴とする請求項７乃至１０の何れかに記載の介護サービスワゴン。
【請求項１２】
前記請求項１乃至６の何れかに記載の汚物収容ケースの上面に略水平な座部を備えたことを特徴とする簡易椅子。
【請求項１３】
前記簡易椅子は、上端開放の筒状をなしかつその上端の開放口が汚物投入口になった椅子本体と、
前記椅子本体における前記汚物投入口の縁部に対して回動可能に連結されて前記汚物投入口を開閉する座部構成体とからなることを特徴とする請求項１２に記載の簡易椅子。
【手続補正２】
【補正対象書類名】明細書
【補正対象項目名】０００５
【補正方法】変更
【補正の内容】
【０００５】
上記目的を達成するためになされた請求項１の発明に係る汚物収容ケースは、使用済みのオムツを含む汚物を収容して閉塞可能な汚物収容ケースにおいて、その汚物収容ケースの内外を区画する外壁部と、外壁部の少なくとも一部を構成し、汚物収容ケースの内外に気体を通過可能とするフィルター部と、フィルター部に付着又は含まれた光触媒と設け、フィルター部が汚物収容ケース外部からの光を受けて光触媒による臭気物質の酸化分解が促されるようにしたところに特徴を有する。
【手続補正３】
【補正対象書類名】明細書
【補正対象項目名】０００７
【補正方法】変更
【補正の内容】
【０００７】
請求項３の発明は、請求項１又は２に記載の汚物収容ケースにおいて、フィルター部に光を照射するための紫外線発光源を前記汚物収容ケース内に設けたところに特徴を有する。
【手続補正４】
【補正対象書類名】明細書
【補正対象項目名】０００９
【補正方法】変更
【補正の内容】
【０００９】
請求項５の発明は、請求項３又は４に記載の汚物収容ケースにおいて、汚物を汚物収容ケース内に投入可能とする投入口と、外壁部の一部を構成し、投入口を開閉可能な投入口扉と、投入口扉が投入口を閉じた場合に紫外線発光源を点灯する一方、投入口を開いた場合に紫外線発光源を消灯するライト切替スイッチとを設けたところに特徴を有する。
【手続補正５】
【補正対象書類名】明細書
【補正対象項目名】００１０
【補正方法】変更
【補正の内容】
【００１０】
請求項６の発明は、請求項１又は２に記載の汚物収容ケースにおいて、汚物収容ケースの外部から汚物収容ケース内に光を取り込んで光触媒に照射するための採光窓を設けたところに特徴を有する。
【手続補正６】
【補正対象書類名】明細書
【補正対象項目名】００２０
【補正方法】変更
【補正の内容】
【００２０】
［請求項３〜６の発明］
請求項３の構成によれば、フィルター部に光を照射するための紫外線発光源を設けたので、夜間、暗所においても光触媒効果を発現させることができる。ここで、紫外線発光源には、ブラックライト、蛍光灯、水銀灯等が含まれ、請求項４の構成のように紫外線発光源をブラックライトとすることで、蛍光灯より紫外線放射量が多くなり、殺菌効果が高まる。また、請求項５の構成によれば、汚物投入口が閉じられた状態でのみライトを点灯させて省エネを図ることができる。さらに、請求項６の構成のように汚物収容ケースの外部から汚物収容ケース内に光を取り込んで光触媒に照射する採光窓を設ければ、電源が無くても光触媒効果を発現させること可能になる。